(57)【特許請求の範囲】
【請求項１】
注射装置であって、
基端と、末端に配置され患者の皮膚と接触するための表面とを有し、第１のロッキング機構を含むベースと、
前記ベースに摺動可能に連結され、ロッキングフィーチャおよび第２のロッキング機構を含む摺動本体と、
前記摺動本体に固定された両頭針と、
前記摺動本体を前記ベースに対して基端方向に付勢し、前記装置の作動後、前記針を前記装置内に引き込むための付勢部材と、
前記摺動本体に摺動可能に連結され、薬物を収容するための薬物カートリッジであって、前記第２のロッキング機構が、前記薬物カートリッジの前記摺動本体に対する移動の終了のとき、前記薬物カートリッジを前記摺動本体に対して固定する、薬物カートリッジと、
前記薬物カートリッジの内部に摺動可能に配置されたストッパと、を含み、
前記第１のロッキング機構と前記ロッキングフィーチャとが、相互に作用し、前記針が前記装置に引き込まれた後、前記摺動本体を前記ベースに対して固定する注射装置。
【請求項２】
前記摺動本体は、前記針が完全に前記装置の内部に配置される第１の位置から前記針の一部が前記装置の外側に延び出す第２の位置、前記針が完全に前記装置内に引き込まれる第３の位置まで移動可能であり、
前記第３の位置が、前記第１の位置に対して末端方向に移動されている請求項１に記載の装置。
【請求項３】
前記薬物カートリッジは、前記摺動本体に連結可能である請求項１に記載の装置。
【請求項４】
前記ストッパは、前記薬物との連通を作るように前記針によって突き刺し可能である請求項１に記載の装置。
【請求項５】
前記第１のロッキング機構は、
前記ベースの内側の回りに周方向に配置され、半径方向内側に突き出し、末端方向に傾
斜され、それぞれ、基端方向に傾斜した表面および末端方向に傾斜した表面を有する複数の傾斜したリップと、
前記ベースの前記内側の回りに周方向に配置され、相互間に固定用空間が画定されるように前記傾斜したリップから末端方向に離隔される複数の軸方向のリブとを含む請求項１に記載の装置。
【請求項６】
前記複数の軸方向のリブは、各傾斜したリップに対応する１対の軸方向のリブであって前記対応する傾斜したリップの向かい合う側面側に周方向に、それぞれ、配置される１対の軸方向のリブを含んでなる請求項５に記載の装置。
【請求項７】
前記摺動本体の前記ロッキングフィーチャは、複数の周方向に配置され末端方向に垂れ下がる片持ち脚部を含み、各脚部は、その末端から周方向に突き出る１対の足を有する請求項５に記載の装置。
【請求項８】
前記足の各基端面は、前記傾斜したリップの各末端方向に傾斜した表面の角度と対応するように傾斜されている請求項７に記載の装置。
【請求項９】
前記摺動本体が、前記針が完全に前記装置の内部に配置される第１の位置から前記針の一部が前記装置の外側に延び出す第２の位置まで移動するとき、前記複数の足は、前記傾斜したリップの前記基端方向の傾斜した表面と係合し、前記脚部を半径方向内側に撓ませ、前記脚部を半径方向外側に付勢し、
前記複数の足が、前記傾斜したリップを末端方向に通過したならば、前記足は、半径方向外側に移動し前記軸方向のリブと係合し、前記軸方向のリブに沿って摺動する請求項７に記載の装置。
【請求項１０】
前記摺動本体が、前記第２の位置から前記針が完全に前記装置の内部に完全に引き込まれる第３の位置まで移動するとき、前記複数の足は、前記軸方向のリブの基端に到達するまで前記軸方向のリブに沿って摺動し、それから、前記固定用空間内に半径方向外側に移動する請求項９に記載の装置。
【請求項１１】
前記薬物カートリッジは、その末端から半径方向外側に突き出るカートリッジリップを含み、
前記摺動本体の前記第２のロッキング機構は、前記薬物カートリッジが移動する前記摺動本体のカートリッジチャネルの末端に隣接して配され、半径方向内側に突き出る固定リブを含み、
前記薬物カートリッジの前記摺動本体に対する移動の終わりのとき、前記カートリッジリップは、前記固定リブを末端方向に通過し、前記固定リブは、前記薬物カートリッジを前記摺動本体に対して固定する請求項１に記載の装置。
【請求項１２】
前記カートリッジチャネルは、
半径方向内側に突き出る連結リブと、
前記連結リブに対して末端方向に配置され半径方向内側に突き出す保持リブと、を含み、
前記カートリッジリップは、前記連結リブを末端方向に通過し前記薬物カートリッジを前記摺動本体に連結し、
前記薬物カートリッジリップが前記保持リブを末端方向に通過したとき、前記針は前記ストッパを穿刺し、
前記カートリッジリップを、前記保持リブを通過し末端方向に移動させるために必要とされる力は、前記連結リブを通過し前記カートリッジリップを末端方向に移動させるために必要とされる力よりも大きい請求項１１に記載の装置。
【請求項１３】
注射装置であって、
基端と、末端に配置され患者の皮膚と接触するための表面とを有し、ベースの内側の回りに周方向に配置され複数の傾斜したリップおよび複数の軸方向のリブを含むベースと、
前記ベースに摺動可能に連結され、半径方向内側に突き出る保持リブと、周方向に配置され末端方向に垂れ下がる複数の片持ち脚部であって、その末端から周方向に突き出る１対の足をそれぞれ有する複数の片持ち脚部と含む摺動本体と、
前記摺動本体に固定された両頭針と、
前記摺動本体を前記ベースに対して基端方向に付勢し、前記装置の作動後、前記針を前記装置内に引き込む付勢部材と、
前記摺動本体に摺動可能に連結され、薬物を収容するための薬物カートリッジであって、前記装置の作動前に前記保持リブに隣接して配置され、その末端から半径方向外側に突き出るカートリッジリップを有する薬物カートリッジと、
前記薬物カートリッジ内に摺動可能に配置されたストッパと、を含み、
前記保持リップを通過し前記カートリッジリップを末端方向に移動させるように前記薬物カートリッジに加えられる力は、前記傾斜したリップを通過し前記足を末端方向に移動し、前記針を患者の皮膚内に入れるように前記薬物カートリッジに加えられる力よりも超える注射装置。
【請求項１４】
各傾斜したリップは、基端方向に傾斜した表面および末端方向に傾斜した表面を有し、
前記複数の軸方向のリブは、その相互間に固定用空間を画定するように前記傾斜したリップから末端方向に離隔されている請求項１３に記載の装置。
【請求項１５】
前記各足のそれぞれの基端面は、前記傾斜したリップのそれぞれの前記末端方向の傾斜した表面の角度に対応するように、傾斜されている請求項１４に記載の装置。
【請求項１６】
前記複数の軸方向のリブは、各傾斜したリップに対応する１対の軸方向のリブを含み、
各一対の軸方向のリブは、前記対応する傾斜したリップの向かい合う側面側に周方向に配置される請求項１５に記載の装置。
【請求項１７】
前記摺動本体が、前記針が完全に前記装置の内部に配置される作動前の位置から前記針の一部が前記装置の外側に延び出す作動位置まで移動するとき、前記複数の足は、前記傾斜したリップの前記基端方向の傾斜した表面と係合し、前記脚部を半径方向内側に撓ませ、前記脚部を半径方向外側に付勢し、前記足が、前記傾斜したリップを末端方向に通過したならば、前記足は、半径方向外側に移動し前記軸方向のリブと係合し、前記軸方向のリブに沿って摺動する請求項１６に記載の装置。
【請求項１８】
前記摺動本体が前記作動位置から前記針が前記装置の内部に完全に引き込められる固定位置まで移動するとき、前記複数の足は、前記軸方向のリブの基端に到達するまで前記軸方向のリブに沿って摺動し、それから、前記固定用空間内に半径方向外側に移動する請求項１７に記載の装置。
【請求項１９】
前記摺動本体は、前記薬物カートリッジが移動する前記摺動本体のカートリッジチャネルの末端に隣接し配置され半径方向内側に突き出る固定リブを含み、
前記薬物カートリッジの前記摺動本体に対する移動の終わりのとき、前記カートリッジリップは、前記固定リブを末端方向に通過し、前記固定リブは、前記薬物カートリッジを前記摺動本体に対して固定する請求項１８に記載の装置。
【請求項２０】
ベースと、該ベースに摺動可能に連結された摺動本体と、該摺動本体に固定された両頭針と、付勢部材と、前記摺動本体に摺動可能に連結され薬物を収容するための薬物カートリッジと、該薬物カートリッジ内に摺動可能に配置されたストッパとを含む注射装置の作動方法であって、
前記薬物カートリッジを連続して押し、
前記摺動本体を前記ベースに対して末端方向に移動させ、前記針を前記注射装置の外側に突き出し、前記付勢部材を圧縮し、
前記針と前記薬物カートリッジとの間の流体連通を作るように、前記ストッパを前記針により穿刺し、
前記ストッパを前記薬物カートリッジに対して基端方向に移動させ前記薬物カートリッジから前記薬物を放出し、
前記薬物カートリッジから前記薬物を放出した後、前記薬物カートリッジへの加圧を順にやめ、
前記付勢部材の力により前記針を前記注射装置内に引き込むように、前記摺動本体を前記ベースに対して基端方向に移動させ、
前記摺動部材を前記ベースに対して固定し、前記注射装置の再使用を防止することを含む方法。
【発明の詳細な説明】
【技術分野】
【０００１】
本発明は、通常、薬物を投薬するための注射装置に関し、より詳細には、低コストの使い捨ての注射装置に関する。
【背景技術】
【０００２】
様々な注射装置が当技術分野で知られている。しかし、多くのそのような注射装置は、適切に使用するための医療訓練が必要である。さらに、多くのそのような注射装置は値段が高い。したがって、訓練を受けていない、または最低限の訓練を受けた人が自己注射もしくは他人の注射のために適切に使用することができる低コストの直感的な注射装置を提供する必要がある。たとえば、医療を受けるのが難しい世界の発展途上地域での接種、または親が子供に接種するためにそのような必要とされる装置を、使用することができる。
【発明の概要】
【課題を解決するための手段】
【０００３】
本発明の一面は、低コストの注射装置を提供するものである。本発明の他の一面は、訓練を受けていない、または最低限の訓練を受けた人が自己注射もしくは他人の注射のために適切に使用することができる直感的な注射装置を提供するものである。
【０００４】
本発明の上述の一面、および／または、他の一面は、ベースと、ベースに摺動可能に連結された摺動本体と、摺動本体に固定された両頭針と、摺動本体をベースに対して基端方向に付勢させ装置の作動後に針を装置内に引き込めるための付勢部材と、摺動本体に摺動可能に連結された薬物を収容するための薬物カートリッジと、薬物カートリッジ内に摺動可能に配置されたストッパと、を含む注射装置を提供することによって実現される。ベースは、基端、および患者の皮膚と接触するためのベースの末端に配置された表面を有する。ベースは、第１のロッキング機構も有する。摺動本体は、ロッキングフィーチャおよび第２のロッキング機構を有する。第２のロッキング機構は、薬物カートリッジの摺動本体に対する移動の終了時に、薬物カートリッジを摺動本体に対して固定する。第１のロッキング機構とロッキングフィーチャとは、相互に作用して、針が装置の内部に引き込められた後に、摺動部材をベースに対して固定する。
【０００５】
本発明の上述の一面、および／または、他の一面は、また、注射装置をもたらすことにより、実現され、その装置は、基端と、末端に配置され患者の皮膚と接触するための表面とを有し、ベースの内側の回りに周方向に配置され複数の傾斜したリップおよび複数の軸方向のリブを含むベースと、ベースに摺動可能に連結され、半径方向内側に突き出る保持リブと、周方向に配置され末端方向に垂れ下がる複数の片持ち脚部であって、その末端から周方向に突き出る１対の足をそれぞれ有する複数の片持ち脚部と含む摺動本体と、摺動本体に固定された両頭針と、を含む。また、その装置は、摺動本体をベースに対して基端方向に付勢し、装置の作動後、針を前記装置内に引き込む付勢部材と、摺動本体に摺動可能に連結され、薬物を収容するための薬物カートリッジであって、装置の作動前に保持リブに隣接して配置され、その末端から半径方向外側に突き出るカートリッジリップを有する薬物カートリッジと、薬物カートリッジ内に摺動可能に配置されたストッパと、を含む。保持リップを通過しカートリッジリップを末端方向に移動させるように薬物カートリッジに加えられる力は、傾斜したリップを通過し足を末端方向に移動し、針を患者の皮膚内に入れるように薬物カートリッジに加えられる力よりも超える。
【０００６】
本発明の上述の一面、および／または、他の一面は、また、ベースと、ベースに摺動可能に連結された摺動本体と、摺動本体に固定された両頭針と、付勢部材と、摺動本体に摺動可能に連結され薬物を収容するための薬物カートリッジと、薬物カートリッジ内に摺動可能に配置されたストッパとを含む注射装置を使用し患者に薬物を注射するための方法をもたらすことによって実現される。この方法は、薬物カートリッジを患者の皮膚または注射部位に向けて連続して押し、摺動本体をベースに対して末端方向に移動させ、針を患者に挿入し、付勢部材を圧縮し、針と薬物カートリッジとの間の流体連通を作るように、ストッパを針により穿刺し、ストッパを薬物カートリッジに対して基端方向に移動させ薬物カートリッジから薬物を放出することを含む。
この方法は、また、薬物カートリッジから薬物を放出した後、薬物カートリッジへの加圧を順にやめ、付勢部材の力により針を患者から引き抜くように、摺動本体をベースに対して基端方向に移動させ、摺動部材を前記ベースに対して固定し、装置の再使用を防止することを含む。
【０００７】
本発明の付加的な、および／または、他の一面および利点が、以下の説明に部分的に述べられ、説明から部分的に明らかになり、または本発明の実施によって習得されるであろう。
【０００８】
本発明の実施例における上述の一面、および／または、他の一面、および、利点が、添付図面と併せて、以下の詳細な説明からより容易に理解されるであろう。
【図面の簡単な説明】
【０００９】
【図１】本発明の一実施例に従った注射装置の斜視図である。
【図２】図１における装置の分解斜視図である。
【図３】図１における装置のベースの斜視図である。
【図４】図１における装置のベースの斜視図である。
【図５】図１における装置の摺動本体の斜視図である。
【図６】図１における装置の摺動本体の斜視図である。
【図７】図１における装置の作動前の状態を示す断面図である。
【図８】図１における装置の動作を示す断面図である。
【図９】図１における装置の動作を示す断面図である。
【図１０】図１における装置の動作を示す断面図である。
【図１１】図１における装置の動作を示す断面図である。
【発明を実施するための形態】
【００１０】
ここで、本発明の複数の実施例、添付図面に示される複数の例を詳細に参照するが、全体を通して、同一の参照数字は、同一の要素を指す。これらの実施例の説明は、図面の参照により本発明を例示するものである。
【００１１】
図１は、本発明の一実施例による注射装置１００の斜視図であり、図２は、装置１００の分解斜視図である。図１および２に示されるように、注射装置１００は、基端１０８および末端１１２を有するベース１０４と、ベース１０４に摺動可能に連結される摺動本体と、摺動本体１１６に固定された両頭針１２０と、以下でかなり詳細に論述するように、装置１００の作動後、針１２０を装置１００内に引き込めるため摺動本体１１６をベース１０４に対して基端方向に付勢する付勢部材１２４（ばねなど）と、を含む。
【００１２】
装置１００は、薬物を収容するための薬物カートリッジ１２８も含む。薬物カートリッジ１２８は、摺動本体１１６に摺動可能に連結される。一実施例によれば、薬物カートリッジ１２８は、ガラスで作製される。他の実施例によれば、薬物カートリッジ１２８は、薬物と反応しない透明なプラスチック材料で作製される。そのようなプラスチック材料における複数の例は、限定されないが、環状オレフィン重合体（ＣＯＰ）、および、環状オレフィン共重合体（ＣＯＣ）を含む。ＣＯＣの一例は、「ＢＤ  ＣＣＰ  Ｒｅｓｉｎ」という呼称でケンタッキー、ルイビルのＺｅｏｎ  Ｃｈｅｍｉｃａｌｓ，  Ｌ．Ｐ．から入手可能であり、米国食品医薬品局によってＤＭＦ  Ｎｏ．１６３６８として記載されている。
【００１３】
さらに、その装置は、薬物カートリッジ１２８の内部に摺動可能に配置され、薬物を薬物カートリッジ１２８の内部に貯留し、薬物を薬物カートリッジ１２８から放出するためのストッパ１３２を含む。薬物カートリッジ１２８とその中に配置されるストッパ１３２とは、組み合わされて、その相互間に薬物室を画定する。一実施例によれば、ストッパ１３２は、薬物と反応しない、ゴムなどエラストマー材料で作製される。
【００１４】
一実施例では、薬物カートリッジ１２８は、装置１００の残部に事前に組み立てられ、装置１００全体が、無菌のパッケージングで、たとえばフォイル蓋付カップで使用者に提供される。他の実施例によれば、事前充填された薬物カートリッジ１２８（ストッパ１３２を含む）は、装置１００の残部とは別個にもたらされる。そのような実施例では、薬物カートリッジ１２８は、注射時、装置１００の残部に対し組み付けられ得る。したがって、以下でかなり詳細に記載するように、摺動本体１１６に選択的に連結可能である。冷蔵空間は、世界の発展途上の地域において、限られていることがある。冷蔵が必要な薬物について、装置１００全体ではなく薬物カートリッジ１２８だけが冷蔵されるのでそのような設計が、冷蔵空間のより効率的な使用をもたらす。
【００１５】
図３および図４は、ベース１０４の基端１０８および末端１１２のそれぞれの斜視図である。図３に示されるように、ベース１０４は、ベース１０４の内側の回りに周方向に配置された複数の傾斜したリップ１３６を有する。各傾斜したリップ１３６は、半径方向内側に突き出し、ベース１０４に対して末端方向に傾斜されている。さらに、各傾斜したリップ１３６は、基端方向に傾斜した表面１４０および末端方向に傾斜した表面１４４を有する。ベース１０４は、ベース１０４の内側の回りに周方向に配置された複数の軸方向リブ１４８も含む。軸方向リブ１４８は、その相互間に固定用空間１５２が画定されるように、傾斜したリップ１３６から末端方向に離隔されている。実施例によれば、１対の軸方向リブ１４８が、各傾斜したリップ１３６に対応し、対の個々のリブ１４８は、対応する傾斜したリップ１３６の向かい合う側面に周方向に配置される。ひとまとめに、傾斜したリップ１３６と軸方向リブ１４８（ならびに、その相互間に配置される固定用空間１５２）は、以下でかなり詳細に論述する、第１のロッキング機構を形成する。
【００１６】
ベース１０４は、さらに、針１２０が移動する中央孔１６０を有する中央のボス１５６を含む。また、以下でかなり詳細に説明するように、一実施例によれば、ベース１０４は、装置１００の作動前に、摺動本体１１６とベース１０４とを連結するための複数のベース固定リブ１５８を含む。
【００１７】
図４に示されるように、ベースの末端１１２は、患者の皮膚と接触する表面１６４を有する。一実施例によれば、表面１６４は、平坦である。他の実施例によれば、表面１６４は、凹面であり、または、たとえば、患者の皮膚と安定して接触するように基端方向に半球形である。当業者は、表面１６４が凸面でもよく、本発明の範囲から逸脱することなく、他の形状、または複数の形状を有することもできるということを理解する。一実施例によれば、表面１６４の少なくとも一部は、その上に配置され、装置１００を患者の皮膚に一時的に接着するための接着剤を有している。そのような接着部分は、たとえば、装置１００の使用前に除去されるペーパカバー（ｐａｐｅｒ  ｃｏｖｅｒ）により覆われ得る。
【００１８】
図５は、摺動本体１１６および針１２０の基端の斜視図であり、図６は、摺動本体１１６および針１２０の末端の斜視図である。一実施例によれば、針１２０は、摺動本体１１６に固定される。換言すれば、針１２０は、摺動本体１１６に対して移動しない。針１２０を摺動本体１１６に固定する方法は、接着、エポキシイング（epoxying）、インサート成形、および、たとえば熱または超音波エネルギを使用するかしめ加工を含む。当業者は、針１２０を摺動本体１１６に固定する他の方法が、本発明の範囲から逸脱することなく使用されてもよいということを理解する。
【００１９】
図５〜図７に示されるように、摺動本体１１６は、周方向に配置された末端方向に垂れ下がる複数の片持ち脚部１６８を含む。一実施例によれば、各脚部１６８は、その末端から周方向に突き出る１対の足１７２を有する。一実施例によれば、図５および６に示されるように（図１１で最も明瞭に示されているが）、足１７２の基端面１７６は、傾斜したリップ１３６の末端方向の傾斜した表面１４４の角度と一致するように傾斜されている。ひとまとめに、脚部１６８および足１７２は、以下でかなり詳細に論述するように、ロッキングフィーチャを形成する。
【００２０】
摺動本体１１６とベース１０４とを組み立てるためには、先ず、付勢部材１２４が、ベース１０４内の中央ボス１５６の回りに挿入される。その後、脚部１６８および／または足１７２が半径方向内側に弾性的に変形し、足１７２がベース固定リブ１５８を末端方向に通過するまで、摺動本体が（付勢部材１２４上で）、ベース１０４内に末端方向に挿入される。その後、脚部１６８、および／または、足１７２が、半径方向外側にはね返り、ベース１０４の内側壁と接触する。一実施例によれば、ベース固定リブ１５８は、足１７２の基端面１７６の角度と一致するように傾斜されている。対応する角度のため、足１７２がベース固定リブ１５８を末端方向に通過したならば、ベース固定リブ１５８が、足１７２の基端面１７６と係合し（摺動本体１１６をベース１０４に対して基端方向に付勢する付勢部材１２４の力により）、足１７２がベース固定リブ１５８を通過して基端方向に移動することを妨げる。そのような組み立てた状態が、たとえば、図７に示されている。
【００２１】
図５に戻って参照すると、摺動本体１１６は、付加的に、その中央に配置されたストッパ受止め用ボス１８４を有する中央部分１８０を含む。中央部分１８０の壁は、薬物カートリッジ１２８を摺動可能に装着するためのカートリッジチャネル（cartridge channel）を形成する。さらに、図６に示されるように、中央部分１８０は、その末端にベース１０４の中央ボス１５６および付勢部材１２４を受け入れるための開口部１８８を有する。図５および図７を参照すると、中央部分１８０は、その中に配置された一連のリブ、具体的には、連結リブ１９２、保持リブ１９６、および固定リブ２００を有する。以下でかなり詳細に論述するように、固定リブ２００は、第２のロッキング機構を形成する。装置１００の動作中、リブ１９２、１９６、および２００は、カートリッジリップ２０４と相互に作用する。カートリッジリップ２０４は、薬物カートリッジ１２８の末端から半径方向外側に突き出るカートリッジリップ２０４と相互に作用する。一実施例によれば、リブ１９２、１９６、および２００は、環状である。
【００２２】
他の実施例によれば、連結リブ１９２は、たとえば、中央部分１８０の回りに周方向に互いに間隔を置いて配置された複数の連結リブ１９２を含む。換言すれば、複数の連結リブ１９２は、堅いリングではなく、複数のセグメント相互間に離隔した部分に分かれた列（segmented array）を形成するように配置される。そのような実施例は、連結リブ１９２を通過してカートリッジリップ２０４を末端方向に進めるために必要とされる力の大きさを低減することができる。たとえば、薬物カートリッジ１２８がガラスで作製される場合、したがって、比較的堅い場合、複数の連結リブ１９２を通過してカートリッジリップ２０４を進行させるために必要とされる低減された力は、有利である。だが、薬物カートリッジ１２８の材料の選択にかかわらず、当業者は、本発明の範囲から逸脱することなく、環状リングとリングセグメント（ring segments）との様々な組合せが、それぞれ、リブ１９２、１９６、および２００に使用され得るということを理解する。
【００２３】
薬物カートリッジ１２８を摺動本体１１６に固定するためには、図７に示されるように、使用者は、カートリッジリップ２０４が連結リブ１９２を通過し、保持リブ１９６に押し当て止まるまで、薬物カートリッジ１２８を摺動本体１１６の中央部分１８０内に挿入する。この作動前の状態では、図７に示されるように、カートリッジリップ２０４は、連結リブ１９２と保持リブ１９６との間に配置され、足１７２は、傾斜したリップ１３６に隣接するように配置される。この状態では、摺動本体１１６は、第１の、即ち、針１２０が完全に装置１００の内部に配置される作動前の位置にある。一実施例によれば、保持リブ１９６を通過してカートリッジリップ２０４を末端方向に移動させるために必要とされる力は、連結リブ１９２を通過してカートリッジリップ２０４を末端方向に移動させるために必要とされる力よりも大きい。そのような実施例は、薬物カートリッジ１２８と摺動本体１１６との連結を容易にすることをもたらし、連結中に装置１００の不慮の作動を防止する。一実施例によれば、保持リブ１９６は、力の差をもたらすように、連結リブ１９２よりもさらに半径方向内側に突き出る。他の実施例によれば、保持リブ１９６は、力の差をもたらすように、連結リブ１９２よりも柔軟ではない。
【００２４】
次に装置１００の動作が、図７〜図１１に関して、説明される。装置１００を組み立て（または事前に組み立てられた装置１００をそのパッケージングから取り出し）、アルコール消毒綿を使用し患者の皮膚２０８における注射部位を消毒した後、使用者は、作動前の装置１００（図７）を患者の皮膚２０８に対して押し付け、薬物カートリッジ１２８を下に（すなわち、末端方向に）押す。カートリッジリップ２０４を保持リブ１９６に対して末端方向に移動させるために必要とされる力は、足１７２を傾斜したリップ１３６に対して末端方向に移動させるために必要とされる力よりも大きい。付加的に、カートリッジリップ２０４を保持リブ１９６に対して末端方向に移動させるために必要とされる力は、付勢部材１２４を圧縮し、針１２０の末端により患者の皮膚２０８を穿刺するために必要とされる力よりも大きい。したがって、図８に示されるように、使用者が薬物カートリッジ１２８を押し下げる場合、力が、摺動本体１１６に伝達され、脚部１６８、および／または、足１７２が、半径方向内側に弾性的に変形し、それによって、足１７２が傾斜したリップ１３６を末端方向に通過することができる。それから、脚部１６８、および／または、足１７２は、半径方向外側にはね返り、軸方向のリブ１４８に沿って末端方向に摺動する。さらに、摺動本体１１６は、付勢部材１２４を圧縮し、針１２０を患者の皮膚２０８内に所定の深さ入れる。この第２において、即ち、摺動本体１１６の作動された位置において、針１２０の一部が、装置１００の外側に延び出る。
【００２５】
使用者が、薬物カートリッジ１２８を押し続けるとき、カートリッジリップ２０４が保持リブ１９６を末端方向に通過し、薬物カートリッジ１２８およびストッパが、カートリッジチャネル内を末端方向に移動し、ストッパ１３２をストッパ受止め用ボス１８４上に着座させる。この動作により、図９に示されるように、ストッパ１３２が針１２０の基端により穿刺され、それによって、薬物と針１２０と間の流体連通を作る。したがって、ストッパ１３２は、薬物との連通を作るように、針１２０によって選択的に突き刺し可能とされる。図１０に示されるように、使用者が薬物カートリッジ１２８を押し続けるとき、薬物カートリッジ１２８は、カートリッジチャネル内をストッパ１３２および摺動本体１１６に対して末端方向に移動し、それによって、薬物室からの薬物を針１２０を介し患者の体内に放出する。
【００２６】
固定リブ２００は、薬物カートリッジ１２８がその末端方向の行程の終わりに到達した場合（図１０）、カートリッジリップ２０４が固定リブ２００を末端方向に通過し、それによって薬物カートリッジ１２８が摺動本体１１６に対して固定されるように、カートリッジチャネルの末端に配置される。すなわち、第２のロッキング機構（固定リブ２００）がカートリッジリップ２０４と係合し、薬物カートリッジ１２８の摺動本体１１６に対する移動を妨げる。換言すれば、第２のロッキング機構は、薬物カートリッジ１２８の摺動本体１１６に対する移動の終了時、薬物カートリッジ１２８を摺動本体１１６に対して固定する。本明細書で使用されるように、要素を他の要素に対して固定することによって、２つの要素のその後の相対移動が阻止される。付加的に図１０に示されるように、一実施例によれば、薬物カートリッジ１２８が、その末端方向の行程の終わりに到達した場合、薬物カートリッジの基端面は、摺動本体１１６の基端面と共に実質的に平面である。そのような構成により、使用者が薬物カートリッジ１２８を動かすことが防止され、それによって、薬物カートリッジ１２８を摺動本体１１６に対して基端方向に移動させる試みが防止される。
【００２７】
図１１に示されるように、患者に薬物を投与した後、使用者は、薬物カートリッジ１２８を解放し、摺動本体１１６（ならびにそれに固定された薬物カートリッジ１２８）は、付勢部材１２４の力によってベース１０４に対して基端方向に移動し、それによって、針１２０が患者から引き抜かれ、針１２０が完全に装置１００の内部に配置される。さらに詳細には、摺動本体１１６が基端方向に移動するとき、足１７２は、軸方向のリブ１４８に沿って基端方向に摺動する。複数の脚部１６８、および／または、足１７２は、複数の軸方向のリブ１４８の基端を通過するとき、固定用空間１５２内に半径方向外側にはね返り、足１７２の基端面１７６が、傾斜したリップ１３６の末端方向の傾斜した表面１４４と係合し、それによって、摺動本体１１６をベース１０４に対して固定する。換言すれば、末端方向の傾斜した表面１４４は、足１７２の基端方向の移動を阻止し、軸方向のリブ１４８の基端は、足１７２の末端方向の移動を阻止する。換言すれば、第１のロッキング機構とロッキングフィーチャとが相互に作用して、針１２０が装置１００内に引き込まれた後、摺動部材１１６をベース１０４に対して固定する。この第３、即ち、摺動部材１１６の固定された位置において、針１２０は、再び完全に装置１００の内部に引き込まれる。摺動本体１１６の第３の位置は、第１の位置に対して末端方向に移動される。
【００２８】
本発明のほんの幾つかの例示の実施例が詳細に上述されたが、当業者は、本発明の新規の教示および利点から実質的に逸脱することなく、多くの変更が例示の実施例において可能であるということを容易に理解する。したがって、全てのそのような変更は、添付の請求の範囲およびその均等物の範囲内に包含されるものとする。
【図１】
0005897113.tif 000002
【図２】
0005897113.tif 000003
【図３】
0005897113.tif 000004
【図４】
0005897113.tif 000005
【図５】
0005897113.tif 000006
【図６】
0005897113.tif 000007
【図７】
0005897113.tif 000008
【図８】
0005897113.tif 000009
【図９】
0005897113.tif 000010
【図１０】
0005897113.tif 000011
【図１１】
0005897113.tif 000012